(57)【特許請求の範囲】
【請求項１】
入力信号であるＣ、Ｍ、Ｙの３色信号の最大値および最小値を求めるステップと、
前記最大値と前記最小値との差が所定値以上であれば、前記入力信号が鮮やかな色に係る信号と判定して前記最小値を基準信号とし、前記差が０であれば、前記入力信号がグレーに係る信号と判定して前記最大値を基準信号とし、前記差が０と前記所定値との間にあれば、前記入力信号が濁色に係る信号と判定して前記最大値および前記最小値に前記差に従った重み付けをした値を基準信号とするステップと、
設定された前記基準信号から墨版信号を生成するステップと、
からなることを特徴とする墨版信号生成方法。
【請求項２】
請求項１記載の方法において、
前記基準信号ｓｋは、最大値Ｑｍａｘと、最小値Ｑｍｉｎと、最大値Ｑｍａｘおよび最小値Ｑｍｉｎの差に従った重み付けのパラメータＴ（０≦Ｔ≦１）とを用いて、
ｓｋ＝Ｔ・Ｑｍｉｎ＋（１−Ｔ）・Ｑｍａｘ
（但し、前記入力信号が鮮やかな色に係る信号と判定されたとき、Ｔ＝１、前記入力信号がグレーに係る信号と判定されたとき、Ｔ＝０、前記入力信号が濁色に係る信号と判定されたとき、０＜Ｔ＜１）
として設定することを特徴とする墨版信号生成方法。
【請求項３】
請求項１記載の方法において、
前記基準信号ｓｋは、最大値Ｑｍａｘと、最小値Ｑｍｉｎと、最大値Ｑｍａｘおよび最小値Ｑｍｉｎの差に従った重み付けのパラメータＴ（０≦Ｔ≦１）とを用いて、
ｓｋ＝Ｔ2・Ｑｍｉｎ＋（１−Ｔ2）・Ｑｍａｘ
（但し、前記入力信号が鮮やかな色に係る信号と判定されたとき、Ｔ＝１、前記入力信号がグレーに係る信号と判定されたとき、Ｔ＝０、前記入力信号が濁色に係る信号と判定されたとき、０＜Ｔ＜１）
として設定することを特徴とする墨版信号生成方法。
【請求項４】
請求項２または３記載の方法において、
パラメータＴは、濁色の範囲を調整する制御係数Ｇｉｄｘ（０≦Ｇｉｄｘ≦１）を用いて、
Ｔ＝１  （Ｑｍａｘ≧（Ｇｉｄｘ＋１）・ＱｍｉｎまたはＱｍｉｎ＝０のとき）
Ｔ＝０  （Ｑｍａｘ＝Ｑｍｉｎのとき）
Ｔ＝（Ｑｍａｘ−Ｑｍｉｎ）／（Ｇｉｄｘ・Ｑｍｉｎ）
（Ｑｍｉｎ＜Ｑｍａｘ＜（Ｇｉｄｘ＋１）・Ｑｍｉｎのとき）
として設定することを特徴とする墨版信号生成方法。
【請求項５】
請求項２または３記載の方法において、
パラメータＴは、濁色の範囲を調整する制御係数Ｇｉｄｘ（０≦Ｇｉｄｘ≦１）を用いて、
Ｔ＝１  （Ｑｍａｘ≧Ｑｍｉｎ＋Ｇｉｄｘ／２またはＧｉｄｘ＝０のとき）
Ｔ＝０  （Ｑｍａｘ＝Ｑｍｉｎのとき）
Ｔ＝２・（Ｑｍａｘ−Ｑｍｉｎ）／Ｇｉｄｘ
（Ｑｍａｘ＜Ｑｍｉｎ＋Ｇｉｄｘ／２のとき）
として設定することを特徴とする墨版信号生成方法。
【請求項６】
請求項２または３記載の方法において、
パラメータＴは、濁色の範囲を調整する制御係数Ｇｉｄｘ（０≦Ｇｉｄｘ≦１）、Ｑｍｉｎ＞ｋ（０＜ｋ＜１）となる定数ｋを用いて、
Ｔ＝１  （Ｑｍａｘ≧（Ｇｉｄｘ＋１）・ＱｍｉｎまたはＱｍｉｎ＜ｋのとき）
Ｔ＝０  （Ｑｍａｘ＝Ｑｍｉｎのとき）
Ｔ＝（Ｑｍａｘ−Ｑｍｉｎ）／（Ｇｉｄｘ・（Ｑｍｉｎ−ｋ）
（Ｑｍａｘ＜（Ｇｉｄｘ＋１）・Ｑｍｉｎ−Ｇｉｄｘ・ｋのとき）
として設定することを特徴とする墨版信号生成方法。
【発明の詳細な説明】
【０００１】
【発明の属する技術分野】
本発明は、原稿画像を読み込んで得られるＣ、Ｍ、Ｙの３色信号をＣ、Ｍ、Ｙ、Ｋの４色信号に変換する際の墨（Ｋ）版信号の調整方法に関する。
【０００２】
【従来の技術】
例えば、印刷・製版の分野において、作業工程の合理化、画像品質の向上等を目的として読取原稿に記録された画像情報を電気的に処理し、フイルム原版を作成する画像読取記録再生システムが広範に用いられている。
【０００３】
この場合、前記画像読取記録再生システムでは、原稿画像をスキャンして得られたＣ、Ｍ、Ｙの３色信号を処理して、Ｃ、Ｍ、Ｙ、Ｋの４色信号を生成した後、前記４色信号に応じた各色のフイルム原版を作成している。なお、墨（Ｋ）版信号は、例えば、シャドー部の濃度を補い、画像の締まりを良くし、落ちついた感じの印刷物を得ることを目的として、Ｃ、Ｍ、Ｙの３色信号から生成される。
【０００４】
従来、この墨（Ｋ）版信号は、入力信号であるＣ、Ｍ、Ｙの３色信号の最小値から変換して生成しており、得られた墨（Ｋ）版信号は、そのトーンカーブを用いて調整することが可能である。また、前記墨（Ｋ）版信号は、カラーコレクション回路において、他のＣ、Ｍ、Ｙの３色信号とともに調整することもできる。
【０００５】
ところで、例えば、濁色に注目して墨（Ｋ）版信号の調整を行いたい場合、従来の墨（Ｋ）版信号の調整方法では、以下に示すような理由により所望の色調を得ることができなかった。
【０００６】
すなわち、従来の方法では、濁色に加えられる墨（Ｋ）版信号の量を増加させる場合、墨（Ｋ）版信号のトーンカーブの変更やカラーコレクションにより調整を行っていた。この場合、墨（Ｋ）版信号のトーンカーブを調整すると、色だけでなくグレーに対する墨（Ｋ）版信号の量も変化するため、再現される階調が変わってしまう不具合が生じてしまう。また、カラーコレクションにより調整を行おうとすると、通常のカラーコレクションでは鮮やかな色に対する変化量が大きくなるように設定されているため、濁色に注目して調整した場合に、鮮やかな色に対する墨（Ｋ）版信号の影響が大きくなってしまったり、あるいは、肝心の濁色が殆ど調整されないような事態が生じてしまう。
【０００７】
【発明が解決しようとする課題】
本発明は、このような不具合を解消するためになされたものであって、グレーや鮮やかな色に影響を与えることなく、濁色に対する墨（Ｋ）版信号を調整することのできる墨版信号生成方法を提供することを目的とする。
【０００８】
【課題を解決するための手段】
本発明では、入力信号であるＣ、Ｍ、Ｙの３色信号の最大値および最小値を求め、前記最大値と前記最小値との差が所定値以上であれば、前記入力信号が鮮やかな色であるとして、前記最小値を基準信号とし、前記差が０であれば、前記入力信号がグレーであるとして、前記最大値を基準信号とし、前記差が０と前記所定値との間にあれば、前記入力信号が濁色であるとして、前記最大値および前記最小値に前記差に従った重み付けをした値を基準信号とし、設定された前記基準信号から墨版信号を生成する。
【０００９】
【発明の実施の形態】
図１は、本実施形態の墨版信号生成方法が適用される画像処理回路の構成ブロック図である。この画像処理回路は、例えば、カラーの読取原稿を走査して得られたＣ、Ｍ、Ｙの３色信号ＣＭＹから、印刷用のフイルム原版を作成するための墨（Ｋ）版信号を含む４色信号ＣＭＹＫ5 を生成する回路である。
【００１０】
前記画像処理回路は、３色信号ＣＭＹのハイライト（ＨＬ）およびシャドウ（ＳＨ）の濃度値を指定値に応じて調整することで３色信号ＣＭＹ1 を生成する濃度設定回路１０を有する。前記３色信号ＣＭＹ1 は、カラーコレクション回路１２、階調変換回路１４、ＵＣＲ（Under Color Removal)回路１６、最大／最小値算出回路１８に夫々供給される。
【００１１】
カラーコレクション回路１２は、所望の校正値に従って３色信号ＣＭＹ1 を調整することにより、Ｃ、Ｍ、Ｙ、Ｋの４色修正信号ΔＣＭＹＫ3 を生成する。階調変換回路１４は、３色信号ＣＭＹ1 を各色のトーンカーブを用いて階調変換し、変換された３色信号ＣＭＹ2 を生成する。ＵＣＲ回路１６は、例えば、特開平４−１２４６６６号公報に示す方法に従って３色信号ＣＭＹ1 と前記３色信号ＣＭＹ1 の最大値Ｑｍａｘ、最小値Ｑｍｉｎとから、グレー成分に対する３色信号ＣＭＹ1 の３色修正信号ΔＣＭＹ2 を生成する。最大／最小値算出回路１８は、前記３色信号ＣＭＹ1 の最大値Ｑｍａｘおよび最小値Ｑｍｉｎを求める。
【００１２】
前記画像処理回路は、さらに、基準信号生成回路２０、墨（Ｋ）版信号生成回路２２、網％設定回路２４を備える。
【００１３】
基準信号生成回路２０は、前記最大値Ｑｍａｘおよび最小値Ｑｍｉｎに従って墨（Ｋ）版信号Ｋ3 のレベルを調整する基準信号ｓｋを生成する。墨（Ｋ）版信号生成回路２２は、前記基準信号ｓｋに基づき、予め設定された変換テーブルに従い墨（Ｋ）版信号Ｋ3 を生成する。網％設定回路２４は、４色信号ＣＭＹＫ4 から、ハイライト（ＨＬ）およびシャドウ（ＳＨ）の網％値を出力特性に応じて調整した網％信号としての４色信号ＣＭＹＫ5 を生成する。
【００１４】
なお、階調変換回路１４と網％設定回路２４との間には、３色信号ＣＭＹ2 に３色修正信号ΔＣＭＹ2 を加算して３色信号ＣＭＹ3 を生成する加算回路２６と、３色信号ＣＭＹ3 および墨（Ｋ）版信号Ｋ3 に４色修正信号ΔＣＭＹＫ3 を加算して３色信号ＣＭＹＫ4 を生成する加算回路２８とが配設される。
【００１５】
本実施形態の墨版信号生成方法が適用される画像処理回路は、基本的には以上のように構成されるものであり、次にその処理内容について具体的に説明する。
【００１６】
原稿画像を走査することにより得られた色分解信号である入力信号は、マスキング演算処理を施すことによりＣ、Ｍ、Ｙの３色信号ＣＭＹに変換される。次いで、この３色信号ＣＭＹは、濃度設定回路１０において、ハイライトおよびシャドウの濃度値が指定濃度となるように設定した３色信号ＣＭＹ1 に変換された後、カラーコレクション回路１２、階調変換回路１４、ＵＣＲ回路１６、最大値／最小値算出回路１８に供給される。
【００１７】
階調変換回路１４では、３色信号ＣＭＹ1 を各色毎に設定したトーンカーブを用いて階調変換することにより３色信号ＣＭＹ2 を生成し、この３色信号ＣＭＹ2 を加算回路２６に供給する。
【００１８】
カラーコレクション回路１２では、例えば、前記３色信号ＣＭＹ1 をＣ、Ｍ、Ｙ、Ｒ、Ｇ、Ｂの６色相に分類した後、色調整を行うために当該色相に対する修正係数に従って調整することにより、Ｃ、Ｍ、Ｙ、Ｋの夫々に対する４色修正信号ΔＣＭＹＫ3 を生成する。この４色修正信号ΔＣＭＹＫ3 は、加算回路２８に供給される。
【００１９】
最大値／最小値算出回路１８では、前記３色信号ＣＭＹ1 の大小関係を比較することにより、３色信号の要素の最大値Ｑｍａｘおよび最小値Ｑｍｉｎを求め、ＵＣＲ回路１６および基準信号生成回路２０に供給する。
【００２０】
ＵＣＲ回路１６では、最大値／最小値算出回路１８から供給される最大値Ｑｍａｘおよび最小値Ｑｍｉｎと、所望のＵＣＲ強度設定値とに基づき、前記３色信号ＣＭＹ1 のＵＣＲによる修正値を求め、３色修正信号ΔＣＭＹ2 として加算回路２６に供給する。
【００２１】
前記加算回路２６は、階調変換回路１４から供給される３色信号ＣＭＹ2 に対して３色修正信号ΔＣＭＹ2 を加算することにより、ＵＣＲの分だけ修正した３色信号ＣＭＹ3 を生成して加算回路２８に供給する。
【００２２】
一方、最大値／最小値算出回路１８から出力された最大値Ｑｍａｘおよび最小値Ｑｍｉｎは、基準信号生成回路２０に供給され、墨（Ｋ）版信号Ｋ3 を生成するための基準信号ｓｋが生成される。
【００２３】
ここで、前記基準信号ｓｋは、次のようにして生成される。すなわち、前記基準信号ｓｋは、最大値Ｑｍａｘ、最小値Ｑｍｉｎ、および、濁色の範囲をコントロールする所定の制御係数Ｇｉｄｘ（０≦Ｇｉｄｘ≦１）、を用いて、
ｓｋ＝Ｔ・Ｑｍｉｎ＋（１−Ｔ）・Ｑｍａｘ                …（１）
として求められる。なお、パラメータＴは、
Ｔ＝１  （Ｑｍａｘ≧（Ｇｉｄｘ＋１）・ＱｍｉｎまたはＱｍｉｎ＝０のとき）
…（２）
Ｔ＝０  （Ｑｍａｘ＝Ｑｍｉｎのとき）                    …（３）
Ｔ＝（Ｑｍａｘ−Ｑｍｉｎ）／（Ｇｉｄｘ・Ｑｍｉｎ）
（Ｑｍｉｎ＜Ｑｍａｘ＜（Ｇｉｄｘ＋１）・Ｑｍｉｎのとき）
…（４）
の関係にあるものとする。
【００２４】
この場合、（２）式の条件は、最大値Ｑｍａｘと最小値Ｑｍｉｎとの差が大きく、３色信号ＣＭＹ1 の色が鮮やかな色の領域にあることを示す。また、（３）式の条件は、最大値Ｑｍａｘと最小値Ｑｍｉｎとが等しく、前記３色信号ＣＭＹ1 の色がグレーであることを示す。さらに、（４）式の条件は、最大値Ｑｍａｘと最小値Ｑｍｉｎとの差がグレーと一定領域の範囲内にある、すなわち、前記３色信号ＣＭＹ1 の色が濁色の領域にあることを示す。従って、（１）式に基づいて求められる基準信号ｓｋは、３色信号ＣＭＹ1 の色が鮮やかな色の領域にある場合には、Ｔ＝１として最小値Ｑｍｉｎに等しく、３色信号ＣＭＹ1 の色がグレーの場合には、Ｔ＝０として３色信号ＣＭＹ1 そのものとなり（Ｑｍａｘ＝Ｑｍｉｎ）、３色信号ＣＭＹ1 の色が濁色の領域にある場合には、０＜Ｔ＜１であり、最大値Ｑｍａｘおよび最小値Ｑｍｉｎの重み付けされた値になる。
【００２５】
前記のようにして求められた基準信号ｓｋは、墨（Ｋ）版信号Ｋ3 のレベルを調整するための信号として墨（Ｋ）版信号生成回路２２に供給される。墨（Ｋ）版信号生成回路２２では、前記基準信号ｓｋに基づき、例えば、図２に示すように設定された変換テーブルに従い墨（Ｋ）版信号Ｋ3 が生成される。この場合、３色信号ＣＭＹ1 の色が濁色の領域にあるとき、前記墨（Ｋ）版信号Ｋ3 を最大値Ｑｍａｘおよび最小値Ｑｍｉｎに従い濁色の程度により増減させることができることになる。なお、濁色の範囲は、制御係数Ｇｉｄｘによって調整することができる。すなわち、Ｇｉｄｘ＝０のときは従来方式と同等であり、Ｇｉｄｘの値が増加すると、基準信号ｓｋとしてＱｍａｘとＱｍｉｎの重み付けで求められる範囲が拡大する。
【００２６】
ここで、鮮やかな色に対してより効果的に墨（Ｋ）版信号Ｋ3 を生成させるためには、パラメータＴを、
0003756224.tif 000002
の関係に設定すればよい。
【００２７】
また、所定値以上の最小値Ｑｍｉｎに対して墨（Ｋ）版信号Ｋ3 を増減させるようにするためには、Ｑｍｉｎ＞ｋ（０＜ｋ＜１）となる定数ｋを用いて、パラメータＴを、
0003756224.tif 000003
の関係に設定すればよい。
【００２８】
さらに、（１）式では、基準信号ｓｋを求めるために１次補間式を用いているが、最大値Ｑｍａｘの変化に対して非線形となる効果を得るためには、例えば、
ｓｋ＝Ｔ2 ・Ｑｍｉｎ＋（１−Ｔ2 ）・Ｑｍａｘ        …（１１）
として基準信号ｓｋを求めるようにしてもよい。この場合、グレーから最も遠い色に至る墨（Ｋ）版信号の影響が２次関数的に減少するため、グレーに近い領域において効果的に墨（Ｋ）版信号を生成することができる。
【００２９】
次に、ＵＣＲの分だけ修正された３色信号ＣＭＹ3 および前記墨（Ｋ）版信号Ｋ3 は、加算回路２８において４色修正信号ΔＣＭＹＫ3 が加算されることにより、色修正された４色信号ＣＭＹＫ4 が生成される。この４色信号ＣＭＹＫ4 は、網％設定回路２４において、ハイライト（ＨＬ）およびシャドウ（ＳＨ）の網％値が出力特性に応じて調整された網％信号としての４色信号ＣＭＹＫ5 に変換される。そして、前記４色信号ＣＭＹＫ5 に従ってＣ、Ｍ、Ｙ、Ｋの４版のフイルム原版が作成される。
【００３０】
【発明の効果】
以上のように、本発明では、濁色に対する墨（Ｋ）版信号を、トーンカーブやカラーコレクションを用いることなく調整することができるため、グレーや鮮やかな色に影響を与えることなく、所望の調整を行うことができる。
【図面の簡単な説明】
【図１】本実施形態の墨版信号生成方法が適用される画像処理回路の構成ブロック図である。
【図２】図１に示す墨（Ｋ）版信号生成回路に設定される基準信号と墨（Ｋ）版信号との変換テーブルの説明図である。
【符号の説明】
１０…濃度設定回路                  １２…カラーコレクション回路
１４…階調変換回路                  １６…ＵＣＲ回路
１８…最大／最小値算出回路          ２０…基準信号生成回路
２２…墨（Ｋ）版信号生成回路        ２４…網％設定回路
【図１】
0003756224.tif 000004
【図２】
0003756224.tif 000005